(57)【要約】【課題】騒音の発生や耐久性の低下のない工作機械のカバーを実現する。【解決手段】テレスコピックカバー４０は、外カバー体４０Ａと、内カバー体４０Ｂと、リンク機構５０とを含む。リンク機構５０は、一端部５１ａ１，５１ｂ１を中間テーブル１１に回動可能に連結した第１リンク部材５１ａ，５１ｂと、内カバー体４０Ｂの端部に配列し、一端部５２ａ１，５２ｂ１を第１リンク部材５１ａ，５１の他端部５１ａ２，５１ｂ２に、他端部５２ａ２，５２ｂ２を工作機械１の固定部材２４にそれぞれ回転可能に連結した第２リンク部材５２ａ，５２ｂと、一端部５３ａ１，５３ｂ１を第２リンク部材５２ａ，５２ｂの回動可能な連結部位以外の部位に、他端部５３ａ２，５３ｂ２を内カバー体４０Ｂにそれぞれ回転可能に連結したリンクアーム５３ａ，５３ｂと、を有する。【選択図】図４
2013136104.tif 000002
【特許請求の範囲】
【請求項１】
所定の直線方向に沿った一方側及び他方側に互いに相対移動可能な複数のカバー体を内外に重なり合いつつ組み合わせて伸縮可能に構成し、ワークを載置して前記所定の直線方向に沿って移動する工作機械のテーブルの、前記一方側及び前記他方側の少なくとも何れか一方に設けた工作機械のテレスコピックカバーにおいて、
複数のリンク部材を回動可能に連結した連節構造により構成し、前記複数のリンク部材のリンク角度変更により前記複数のカバー体を伸縮するリンク機構を有し、
前記複数のカバー体は、
前記テーブルに固定した、第１カバー体と、
当該複数のカバー体のうち前記一方側端部に配列した、第２カバー体と、
を含み、
前記複数のリンク部材は、
一端部を前記テーブル又は前記第１カバー体に回動可能に連結した第１リンク部材と、
前記第２カバー体端部に配列し、一方の端部を前記工作機械の固定部材に回動可能に連結した第２リンク部材と、
を含み、
かつ、
一端部を前記第２リンク部材の前記回動可能な連結部位以外の部位に対し回動可能に連結し、他端部を前記第２カバー体に対し回動可能に連結したリンクアームを更に備えた
ことを特徴とする工作機械のテレスコピックカバー。
【請求項２】
請求項１記載の工作機械のテレスコピックカバーにおいて、
前記第１カバー体は前記テーブルの前記一方側に固定し、
前記第２カバー体は前記第１カバー体に対し相対移動可能に配置し、
前記第１リンク部材は前記複数のカバー体の下方に配置し、
前記第２リンク部材は前記複数のカバー体の下方に配置し、且つ一端部を前記第１リンク部材の他端部に回動可能に連結し、他端部を前記固定部材に回動可能に連結し、
前記リンクアームは、
一端部を前記第２リンク部材の一端部と他端部との中間部に対し回動可能に連結し、他端部を前記第２カバー体に回動可能に連結した
ことを特徴とする工作機械のテレスコピックカバー。
【請求項３】
請求項１又は請求項２記載の工作機械のテレスコピックカバーにおいて、
前記リンク機構を、
前記直線方向に直交する直交方向に沿って一の側に配置して２以上の所定数のリンク部材により構成した第１リンク体と、
前記直線方向に直交する直交方向に沿って他の側に配置して前記所定数のリンク部材により構成し、少なくとも一端部と他端部において前記第１リンク体に対し回動可能に連結した第２リンク体と、
を備えたパンタグラフ形状に構成した
ことを特徴とする工作機械のテレスコピックカバー。
【請求項４】
請求項１乃至請求項３の何れか１項記載の工作機械のテレスコピックカバーにおいて、
前記工作機械のテーブルの前記一方側に配置しており、
かつ、
前記第２カバー体の前記他方側に延設し、前記複数のカバー体のうち他のカバー体に対する前記第２カバー体の相対移動を、前記工作機械のテーブルの前記他方側に配置した他のテレスコピックカバーに伝達する、移動伝達軸をさらに備えた
ことを特徴とする工作機械のテレスコピックカバー。
【請求項５】
ワークを加工する工具を着脱可能に保持する主軸と、
前記主軸を回転駆動する主軸モータを保持し、上下動可能な主軸ヘッドと、
前記ワークを保持したテーブルを、互いに直交するＸ軸方向及びＹ軸方向に移動するＸＹ軸移動装置と、
前記主軸ヘッドを、前記Ｘ軸方向及び前記Ｙ軸方向に直交するＺ軸方向に昇降移動するＺ軸移動装置と、
前記Ｘ軸方向又は前記Ｙ軸方向に沿って、前記テーブルの一方側及び他方側の少なくともいずれか一方に設けたテレスコピックカバーと、
を有する工作機械において、
前記テレスコピックカバーは、
複数のリンク部材を回動可能に連結した連節構造により構成し、前記複数のリンク部材のリンク角度変更により前記複数のカバー体を伸縮するリンク機構を有し、
前記複数のカバー体は、
前記テーブルに固定した、第１カバー体と、
当該複数のカバー体のうち前記一方側端部に配列した、第２カバー体と、
を含み、
前記複数のリンク部材は、
一端部を前記テーブル又は前記第１カバー体に回動可能に連結した第１リンク部材と、
前記第２カバー体端部に配列し、一方の端部を前記工作機械の固定部材に回動可能に連結した第２リンク部材と、
を含み、
かつ、
一端部を前記第２リンク部材の前記回動可能な連結部位以外の部位に対し回動可能に連結し、他端部を前記第２カバー体に対し回動可能に連結したリンクアームを設けた
ことを特徴とする工作機械。
【発明の詳細な説明】
【技術分野】
【０００１】
本発明は、相対移動により伸縮可能な複数のカバー体を備えた工作機械のテレスコピックカバー、及び工作機械に係わり、特に、テレスコピックカバーの騒音の発生や耐久性の低下の防止に関する。
【背景技術】
【０００２】
工作機械は、ワークを載置したテーブルを介してワークをＸ方向とＹ方向に駆動し、コラムに支持した主軸ヘッドに装着した切削工具によりワークに切削加工を施す。このような工作機械では、テーブルの駆動機構を切削屑から保護するために、駆動機構の上側をテレスコピックカバーで覆っている。
【０００３】
従来、互いに相対移動可能な外カバー体及び内カバー体を含む複数のカバー体を内外に重なり合いつつ組み合わせて伸縮可能に構成したテレスコピックカバーがある（特許文献１の図７参照）。
【０００４】
この特許文献１のテレスコピックカバーは、Ｘ方向に沿って移動する可動テーブルに固定した外カバー体と、外カバー体内に配置した内カバー体とを備える。外カバー体のＸ軸方向外方の開口部の上端縁部には、内カバー体の上面と接触する硬質ゴム製のスクレーパを設け、内カバー体のＸ軸方向内方の側面両端部には、上方に突出する１対のクッションゴムと、内側に突出する１対の内側クッション材とを設け、側面中央部には、外側に突出する１つの外側クッション材を設ける。可動テーブルを案内する１対のガイドレールのＸ軸方向両端には、Ｘ軸方向外方に内カバー体のＸ軸方向外方の側面に向けてストッパを突出させたブラケットを固定する。
【０００５】
Ｘ軸方向一方側に設置した一方側テレスコピックカバーは、可動テーブルがＸ軸方向に沿って他方側に移動し、外カバー体が他方側に移動すると、内カバー体は、外カバー体のスクレーパとの摩擦によって同方向に移動するか、スクレーパが内カバー体の外側クッション材に接触して牽引することで同方向に移動し、内カバー体の一方側の側面がブラケットのストッパに接触すると移動を停止する。外カバー体は、牽引される内カバー体と共に、若しくは置き去り状態の内カバー体に対し他方側に移動を続け、可動テーブルがＸ軸方向の可動範囲の他方端まで移動し停止すると、外カバー体は、スクレーパが内カバー体の外側クッション材に接触した状態で移動を停止する。この状態で、テレスコピックカバーは、内外のカバー体が全体として伸張する。
【０００６】
逆に、その状態から可動テーブルが一方側に移動し、外カバー体が一方側に移動すると、内カバー体は、外カバー体のスクレーパとの摩擦によって同方向に移動するか、外カバー体の他方側の側面が内カバー体の他方側の側面の外側クッション材に接触して牽引することで同方向に移動し、内カバー体の一方側の側面の内側クッション材がブラケットに接触すると移動を停止する。外カバー体は、牽引される内カバー体と共に、若しくは置き去り状態の内カバー体に対し一方側に移動を続け、可動テーブルがＸ軸方向の可動範囲の一方端まで移動し停止すると、外カバー体は、他方側の側面が内カバー体の他方側の側面の外側クッション材に接触した状態で移動を停止する。この状態で、テレスコピックカバーは、内外のカバー体が全体として縮小する。
【先行技術文献】
【特許文献】
【０００７】
【特許文献１】特開２００７−５０５０１号公報
【発明の概要】
【発明が解決しようとする課題】
【０００８】
しかしながら、特許文献１のテレスコピックカバーのように、外カバー体が移動し隣接する内カバー体に接触することで、当該内カバー体を移動させたり、内カバー体がストッパ等で接触することで移動を停止させる構造では、接触時の衝撃で騒音や耐久性の低下が発生する。
【０００９】
本発明の目的は、騒音の発生や耐久性の低下を防止した工作機械のテレスコピックカバー、及びそのテレスコピックカバーを備えた工作機械を提供することにある。
【課題を解決するための手段】
【００１０】
上記目的を達成するために、第１の発明は、所定の直線方向に沿った一方側及び他方側に互いに相対移動可能な複数のカバー体を内外に重なり合いつつ組み合わせて伸縮可能に構成し、ワークを載置して前記所定の直線方向に沿って移動する工作機械のテーブルの、前記一方側及び前記他方側の少なくともいずれか一方に設けた工作機械のテレスコピックカバーにおいて、複数のリンク部材を回動可能に連結した連節構造により構成し、前記複数のリンク部材のリンク角度変更により前記複数のカバー体を伸縮するリンク機構を有し、前記複数のカバー体は、前記テーブルに固定した、第１カバー体と、当該複数のカバー体のうち前記一方側端部に配列した、第２カバー体と、を含み、前記複数のリンク部材は、一端部を前記テーブル又は前記第１カバー体に回動可能に連結した第１リンク部材と、前記第２カバー体端部に配列し、一方の端部を前記工作機械の固定部材に回動可能に連結した第２リンク部材と、を含み、かつ、一端部を前記第２リンク部材の前記回動可能な連結部位以外の部位に対し回動可能に連結し、他端部を前記第２カバー体に対し回動可能に連結したリンクアームをさらに備えたことを特徴とする。
【００１１】
本願第１発明の工作機械のテレスコピックカバーは、複数のカバー体と、リンク機構とを有する。複数のカバー体のそれぞれは、互いに相対移動可能である。各カバー体を内外に重なり合いつつ組み合わせることで、複数のカバー体を構成している。複数のカバー体は、他方側端部に配列し一端部をテーブルの一方側に固定した第１カバー体と、一方側端部に配列した第２カバー体と、を含む。リンク機構は、複数のリンク部材を回動可能に連結している。複数のリンク部材の連接構造であるリンク機構が、各リンク部材のリンク角度を変更することで各カバー体を互いに相対移動させ、複数のカバー体を伸縮する。
【００１２】
詳細には、複数のリンク部材は、一端部をテーブルに連結した第１リンク部材を他方側端部に備え、一方の端部を工作機械の固定部材に連結した第２リンク部材を一方側端部に備える。
【００１３】
テーブルが一方側に移動して固定部材に近づくと、複数のリンク部材は、各リンク部材が上記直線方向となすリンク角度が増大するように、リンクを折りたたみつつ屈曲変形する。第２リンク部材を折りたたむと、第２リンク部材に連結したリンクアームの一端部が当該折りたたみ方向に移動する。リンクアームの他端部が第２カバー体に連結していることから、上記リンクアームの他端部の移動によって、第２カバー体は、第１カバー体に対し接近するように他方側へと相対移動する。この相対移動等により、複数のカバー体の上記直線方向に沿った寸法が小さくなる（複数のカバー体が全体として縮小する）。
【００１４】
テーブルが他方側に移動して固定部材から遠ざかると、複数のリンク部材は、各リンク部材が上記直線方向となすリンク角度が減少するように、リンクを引き伸ばしつつ上記直線方向に沿う直線状に戻る。第２リンク部材が上記直線状に戻ると、第２リンク部材に連結したリンクアームの他端部が当該引き伸ばし方向に移動する。リンクアームの他端部が第２カバー体に連結していることから、上記リンクアームの他端部の移動によって、第２カバー体は、第１カバー体から遠ざかるように一方側へと相対移動する。この相対移動等により、複数のカバー体の上記直線方向に沿った寸法が大きくなる（複数のカバー体が全体として伸長する）。
【００１５】
本願第１発明は、複数のリンク部材を用いて複数のカバー体の全体寸法を縮小・伸長させる。これにより、１つのカバー体が移動し隣接する別のカバー体に接触することで当該別のカバー体を移動させる構造のように、接触時に騒音が発生したり接触により耐久性が低下することがない。
【００１６】
第２の発明は、上記第１発明において、前記第１カバー体は前記テーブルの前記一方側に固定し、前記第２カバー体は前記第１カバー体に対し相対移動可能に配置し、前記第１リンク部材は前記複数のカバー体の下方に配置し、前記第２リンク部材は前記複数のカバー体の下方に配置し、且つ一端部を前記第１リンク部材の他端部に回動可能に連結し、他端部を前記固定部材に回動可能に連結し、前記リンクアームは、一端部を前記第２リンク部材の一端部と他端部との中間部に対し回動可能に連結し、他端部を前記第２カバー体に回動可能に連結したことを特徴とする。
【００１７】
本願第２発明の工作機械のテレスコピックカバーは、複数のリンク部材を、一端部をテーブルに連結した第１リンク部材と、他端部を工作機械の固定部材に連結した第２リンク部材と、で構成する。
【００１８】
テーブルが一方側に移動して固定部材に近づくと、第１リンク部材及び第２リンク部材を、上記リンク角度が増大するように折りたたむ。第２リンク部材を折りたたむことでリンクアームの一端部が当該折りたたみ方向に移動し、リンクアームの他端部を連結した第２カバー体が第１カバー体へと接近する。この相対移動により、第１カバー体及び第２カバー体が全体として縮小する。
【００１９】
テーブルが他方側に移動して固定部材から遠ざかると、第１リンク部材及び第２リンク部材は、上記リンク角度が減少するように引き伸ばしつつ上記直線状に戻る。第２リンク部材が直線状に戻ることでリンクアームの一端部が当該引き伸ばし方向に移動し、リンクアームの他端部を連結した第２カバー体が第１カバー体から遠ざかる。この相対移動により、第１カバー体及び第２カバー体が全体として伸長する。
【００２０】
本願第２発明は、第１リンク部材及び第２リンク部材を用いて第１カバー体及び第２カバー体の全体寸法を縮小・伸長させる。これにより、騒音が発生したり耐久性が低下することがない。
【００２１】
第３の発明は、上記第１又は第２の発明において、前記リンク機構を、前記直線方向に直交する直交方向に沿って一の側に配置して２以上の所定数のリンク部材により構成した第１リンク体と、前記直線方向に直交する直交方向に沿って他の側に配置して前記所定数のリンク部材により構成し、少なくとも一端部と他端部において前記第１リンク体に対し回動可能に連結した第２リンク体と、を備えたパンタグラフ形状に構成したことを特徴とする。
【００２２】
本願第３発明の工作機械のテレスコピックカバーは、リンク機構をパンタグラフ形状に構成する。一の側の第１リンク体と他の側の第２リンク体とを互いに同数のリンク部材により構成し、互いに同等の折りたたみ・引き伸ばし態様を実現する。これにより、いずれか一方側のリンク体のみを設ける場合に比べ、円滑かつ均等なリンク動作を確保することができる。
【００２３】
第４の発明は、上記第１乃至第３の何れか一つの発明において、前記工作機械のテーブルの前記一方側に配置しており、かつ、前記第２カバー体の前記他方側に延設し、前記複数のカバー体のうち他のカバー体に対する前記第２カバー体の相対移動を、前記工作機械のテーブルの前記他方側に配置した他のテレスコピックカバーに伝達する、移動伝達軸をさらに備えたことを特徴とする。
【００２４】
本願第４発明のテレスコピックカバーは、第２カバー体の他方側に移動伝達軸を延設する。移動伝達軸は、第２カバー体の他のカバー体に対する相対移動を、テーブルの他方側に配置した他のテレスコピックカバーに伝達する。
【００２５】
本願第４発明のテレスコピックカバーの第２カバー体が他方側へと移動して第１カバー体に対し接近すると、この移動を移動伝達軸が他のテレスコピックカバーに伝達する。他のテレスコピックカバーにおける第２カバー体が第１カバー体から離間可能となり、複数のカバー体が全体として伸長する。
【００２６】
本願第４発明のテレスコピックカバーの第２カバー体が一方側へと移動して第１カバー体から離間すると、この移動を移動伝達軸が他のテレスコピックカバーに伝達する。他のテレスコピックカバーにおける第２カバー体が第１カバー体に接近可能となり、複数のカバー体が全体として縮小する。
【００２７】
本願第４発明のテレスコピックカバーによれば、移動伝達軸での移動の伝達を用いて、他のテレスコピックカバーに対し、同等の複数のカバー体全体の伸長・縮小挙動を実現することができる。
【００２８】
上記目的を達成するために、第５の発明は、ワークを加工する工具を着脱可能に保持する主軸と、前記主軸を回転駆動する主軸モータを保持し、上下動可能な主軸ヘッドと、前記ワークを保持したテーブルを、互いに直交するＸ軸方向及びＹ軸方向に移動するＸＹ軸移動装置と、前記主軸ヘッドを、前記Ｘ軸方向及び前記Ｙ軸方向に直交するＺ軸方向に昇降移動するＺ軸移動装置と、前記Ｘ軸方向又は前記Ｙ軸方向に沿って、前記テーブルの一方側及び他方側の少なくともいずれか一方に設けたテレスコピックカバーと、を有する工作機械において、前記テレスコピックカバーは、複数のリンク部材を回動可能に連結した連節構造により構成し、前記複数のリンク部材のリンク角度変更により前記複数のカバー体を伸縮するリンク機構を有し、前記複数のカバー体は、前記テーブルに固定した、第１カバー体と、当該複数のカバー体のうち前記一方側端部に配列した、第２カバー体と、を含み、前記複数のリンク部材は、一端部を前記テーブル又は前記第１カバー体に回動可能に連結した第１リンク部材と、前記第２カバー体端部に配列し、一方の端部を前記工作機械の固定部材に回動可能に連結した第２リンク部材と、を含み、かつ、一端部を前記第２リンク部材の前記回動可能な連結部位以外の部位に対し回動可能に連結し、他端部を前記第２カバー体に対し回動可能に連結したリンクアームを設けたことを特徴とする。
【００２９】
本願第５発明の工作機械は、ＸＹ軸移動装置によりＸ軸方向及びＹ軸方向に移動するテーブルの一方側及び他方側の少なくとも一方に、テレスコピックカバーを設ける。このテレスコピックカバーは、複数のカバー体と、リンク機構とを有する。複数のカバー体のそれぞれは、互いに相対移動可能である。各カバー体を内外に重なり合いつつ組み合わせることで、複数のカバー体を構成している。複数のカバー体は、他方側端部に配列し基端部をテーブルの一方側に固定した第１カバー体と、一方側端部に配列した第２カバー体と、を含む。リンク機構は、複数のリンク部材を回動可能に連結している。複数のリンク部材の連接構造であるリンク機構が、各リンク部材のリンク角度を変更することで各カバー体を互いに相対移動させ、複数のカバー体を伸縮する。テーブルが一方側及び他方側のいずれに移動した場合でも、加工時にワークから発生する加工屑を複数のカバー体で受け止める。
【００３０】
詳細には、複数のリンク部材は、一端部をテーブルに連結した第１リンク部材を他方側端部に備え、一方の端部を工作機械の固定部材に連結した第２リンク部材を一方側端部に備える。
【００３１】
テーブルが一方側に移動して固定部材に近づくと、複数のリンク部材は、各リンク部材が上記直線方向となすリンク角度が増大するように、リンクを折りたたみつつ屈曲変形する。第２リンク部材を折りたたむと、第２リンク部材に連結したリンクアームの一端部が当該折りたたみ方向に移動する。リンクアームの他端部が第２カバー体に連結していることから、上記リンクアームの他端部の移動によって、第２カバー体は、第１カバー体に対し接近するように他方側へと相対移動する。この相対移動等により、複数のカバー体の上記直線方向に沿った寸法が小さくなる（複数のカバー体が全体として縮小する）。
【００３２】
テーブルが他方側に移動して固定部材から遠ざかると、複数のリンク部材は、各リンク部材が上記直線方向となすリンク角度が減少するように、リンクを引き伸ばしつつ上記直線方向に沿う直線状に戻る。第２リンク部材が上記直線状に戻ると、第２リンク部材に連結したリンクアームの一端部が当該引き伸ばし方向に移動する。リンクアームの他端部が第２カバー体に連結していることから、上記リンクアームの他端部の移動によって、第２カバー体は、第１カバー体から遠ざかるように一方側へと相対移動する。この相対移動等により、複数のカバー体の上記直線方向に沿った寸法が大きくなる（複数のカバー体が全体として伸長する）。
【００３３】
本願第５発明では、複数のリンク部材を用いて複数のカバー体の全体寸法を縮小・伸長させる。これにより、１つのカバー体が移動し隣接する別のカバー体に接触することで当該別のカバー体を移動させる構造のように、接触時に騒音が発生したり接触により耐久性が低下することがない。
【発明の効果】
【００３４】
本発明によれば、テレスコピックカバーの騒音の発生や耐久性の低下を防止することができる。
【図面の簡単な説明】
【００３５】
【図１】本発明の工作機構の一実施形態の概略斜視図である。
【図２】工作機械の機械本体部の側面図である。
【図３】中間テーブル及びテレスコピックカバーをＸ軸方向一方側の斜め上方から見た斜視図である。
【図４】中間テーブル及びテレスコピックカバーをＸ軸方向他方側の斜め上方から見た斜視図である。
【図５】中間テーブル及びテレスコピックカバーを上方から見た平面図、及びＹ軸方向一方側から見た正面図である。
【図６】中間テーブル及びテレスコピックカバーを下方から見た下面図である。
【図７】中間テーブル及びテレスコピックカバーをＸ軸一方側から見た側面図である。
【図８】テレスコピックカバーの動作を示す説明図である。
【図９】本発明の他の実施形態における中間テーブル上の可動テーブル及びテレスコピックカバーをＸ軸方向一方側の斜め上方から見た斜視図である。
【図１０】可動テーブル及びテレスコピックカバーをＹ軸方向一方側から見た正面図である。
【図１１】図１０のＸＩ−ＸＩ線による水平断面図である。
【図１２】テレスコピックカバーの斜視図である。
【図１３】テレスコピックカバーの動作を示す説明図である。
【発明を実施するための形態】
【００３６】
以下、本発明の一実施の形態を図面を参照しつつ説明する。
【００３７】
図１は、本発明の工作機械の一実施形態を示す斜視図である。本実施形態の工作機械１は、一般的な縦型マシニングセンタと称する工作機械である。工作機械１は、台座ベース２のＹ軸方向（前後方向）一方側とは反対の他方側（後側）に設けた機械本体部３と、台座ベース２の機械本体部３よりもＹ軸方向一方側（前側）に、Ｙ軸方向に移動可能に設けた中間テーブル１１と、ワーク（図示略）を載置し、中間テーブル１１上にＸ軸方向（左右方向）に移動可能に設けた可動テーブル２２と、可動テーブル２２を中間テーブル１１を介してＹ軸方向に移動するＹ軸方向駆動機構５と、可動テーブル２２をＸ軸方向に移動するＸ軸方向駆動機構６と、中間テーブル１１に設けたテレスコピックカバー４０（図３参照）等を設けている。工作機械１の全体は、図示しない防塵カバーで覆われている。なお、Ｙ軸方向駆動機構５及びＸ軸方向駆動機構６は、各請求項記載のＸＹ軸移動装置として機能する。
【００３８】
機械本体部３は、図２に示す如く、台座ベース２上に立設されたコラム３１と、ワーク（図示略）を加工する工具（図示略）を工具マガジン３２の工具ホルダ３３を介して着脱可能に保持する主軸３４と、主軸３４を回転可能に支持すると共に主軸３４を回転駆動する主軸モータ３５を保持する主軸ヘッド３６と、コラム３１に一端を固定し、他端は工具マガジン３２に固定する支持フレーム３７と、コラム３１に内蔵した駆動機構を介して主軸ヘッド３６を上下方向（Ｚ軸方向）に昇降移動することで、主軸３４を上下動するＺ軸移動装置３８とを設けている。
【００３９】
Ｙ軸方向駆動機構５は、台座ベース２上に設けたＹ軸方向に延びる１対のＹ軸方向ガイドレール１０と、台座ベース２のＹ軸方向他方側に固定したＹ軸方向駆動モータ１２と、Ｙ軸方向駆動モータ１２の出力軸１２ａにカップリング１４を介して連結したＹ軸方向に延びるＹ軸方向ボールネジ軸１３と、中間テーブル１１の下側に固着し且つＹ軸方向ボールネジ軸１３に外嵌したボールネジナット（図示略）等を設けている。中間テーブル１１は、１対のＹ軸方向ガイドレール１０に載置して、Ｙ軸方向に沿って移動自在に設置している。Ｙ軸方向駆動機構５は、Ｙ軸方向駆動モータ１２によりＹ軸方向ボールネジ軸１３を回転駆動し、ボールネジナットを介して中間テーブル１１をＹ軸方向ガイドレール１０に沿って移動する。
【００４０】
Ｘ軸方向駆動機構６は、中間テーブル１１上に設けたＸ軸方向に延びる１対のＸ軸方向ガイドレール２１と、中間テーブル１１のＸ軸方向一方側に固定したＸ軸方向駆動モータ１７と、両端部を軸受部材１８，１９で回転可能に支持すると共にＸ軸方向一方側でカップリング（図示略）を介してＸ軸方向駆動モータ１７の出力軸に連結したＸ軸方向に延びるＸ軸方向ボールネジ軸１６と、中間テーブル１１の下側に固着し且つＸ軸方向ボールネジ軸１６に外嵌したボールネジナット（図示略）等を設けている。可動テーブル２２は、１対のＸ軸方向ガイドレール２１に載置して、Ｘ軸方向に移動自在に設置している。Ｘ軸方向駆動機構６は、Ｘ軸方向駆動モータ１７によりＸ軸方向ボールネジ軸１６を回転駆動し、ボールネジナットを介して可動テーブル２２をＸ軸方向ガイドレール２１に沿って移動する。
工作機械１は、Ｙ軸方向駆動機構５及びＸ軸駆動機構６により中間テーブル１１及び可動テーブル２２を介してワークをＹ軸方向及びＸ軸方向に駆動し、そのワークに対し工具を取り付けた主軸３４を回転して、ワークに切削加工等の加工を施す。
【００４１】
テレスコピックカバー４０は、図３に示す如く、中間テーブル１１のＹ軸方向一方側（前側）に設け、中間テーブル１１よりも一方側のＹ軸方向駆動機構６を覆う。テレスコピックカバー４０は、内外に重なり合いつつ組み合わせて相対移動することにより伸縮可能な外カバー体４０Ａ（第１カバー体）と内カバー４０Ｂ体（第２カバー体）を備える。外カバー４０ＡはＹ軸方向に沿った他方側端部（後側端部）に配列し、内カバー体４０Ｂは一方側端部（前側端部）に配列している。
【００４２】
外カバー体４０Ａは、図４、図５（ｂ）及び図７に示す如く、一方側及び他方側の側面（前後両側面）及び下面が開放した矩形の平たい箱体である。外カバー体４０Ａは他方側端部上面に設けた板状のフランジ４０ａを介して中間テーブル１１の一方側側面（前側面）１１ａの下部にネジ止め固定している。外カバー体４０Ａは、中間テーブル１１がＹ軸方向に沿って移動すると、中間テーブル１１とともにＹ軸方向に沿って一体に移動する。外カバー体４０ＡはＸ軸方向の一方側及び他方側の側面（左右両側面）下端に内側に折れ曲がってＹ軸方向に延びる細幅の支持フレーム４０Ａ１（図４参照）を一体に設ける。支持フレーム４０Ａ１は内カバー体４０Ｂを摺動自在に支持する。
【００４３】
内カバー体４０Ｂは、他方側側面（後側面）及び下面が開放した矩形の平たい箱体である。内カバー体４０Ｂは外カバー体４０Ａの内側にほぼ重なる断面寸法に形成されている。内カバー体４０ＢのＹ軸方向に沿った長さは、内カバー体４０Ｂを外カバー体４０Ａ内に収容した状態で、内カバー体４０Ｂの一方側側面（前側面）が外カバー体４０Ａの一方側（前側）の開口に略位置するように設定されている。内カバー体４０Ｂは内カバー体４０ＢのＸ軸方向一方側及び他方側の側面（左右両側面）下端に内側に折れ曲がってＹ軸方向に延びる細幅の被支持フレーム４０Ｂ１を一体に設けている。被支持フレーム４０Ｂ１は外カバー体４０Ａの支持フレーム４１Ａ１に摺動自在に支持される。
【００４４】
テレスコピックカバー４０は、外カバー体４０Ａに対し内カバー体４０Ｂを伸縮するリンク機構５０を備えている。リンク機構５０は、外カバー体４０Ａ内に配置した１対の第１リンク部材５１ａ，５１ｂと、内カバー体４０Ｂ内に配置した１対の第２リンク部材５２ａ，５２ｂを含み、更に内カバー体４０Ｂ内に配置した１対のリンクアーム５３ａ，５３ｂを備える。
【００４５】
１対の第１リンク部材５１ａ，５１ｂは、一端部（基端部）５１ａ１，５１ｂ１←図５に符号を入れてください。をブラケット５５を介して中間テーブル１１のＹ軸方向一方側の側面１１ａのＸ軸方向略中央下部に回転可能に連結し（外カバー体４０ＡのＹ軸方向他方側側面のＸ軸方向略中央部に回転可能に連結してもよい）ている。他端部５１ａ２，５１ｂ２は１対の第２リンク部材５２ａ、５２ｂの一端部５２ａ１，５２ｂ１に回転可能に連結する。第２リンク部材５２ａ，５２ｂの他端部５２ａ２，５２ｂ２は、後述する固定部材２４上端の同一位置に回動可能に連結している。固定部材２４は台座ベース２の内カバー体４０Ｂ内に固定し且つ内カバー体４０ＢのＸ軸方向の幅と略同幅の板部材である。第１リンク部材５１ａ，５１ｂ及び第２リンク部材５２ａ、５２ｂは、菱形状をなし、菱形状の四節リンク、いわゆるパンタグラフリンクを構成する。各リンク部材５１ａ，５１ｂ，５２ａ，５２ｂは、図５（ａ）及び図６に示す如く、Ｙ軸方向の直線Ｙ１に対し同一の角度θ（リンク角度θ）をなしている。
【００４６】
１対のリンクアーム５３ａ、５３ｂは、一端部５３ａ１，５３ｂ１を第２リンク部材５２ａ，５２ｂの回動可能な連結部位、即ち両端部５２ａ１，５２ｂ１、５２ａ２，５２ｂ２以外の部位に対し回動可能に連結する。他端部５３ａ２，５３ｂ２は内カバー体４０ＢのＸ軸方向一方側の側面（前側面）に対し回動可能且つ第２リンク部材５２ａ、５２ｂの他端部５２ａ２，５２ｂ２を中心に同一距離離隔した位置に連結している。
【００４７】
図８を参照して、テレスコピックカバー４０の動作を説明する。図８（ａ）は、中間テーブル１１がＹ軸方向の可動範囲の他方側端に位置する。故に内カバー体４０Ｂは、外カバー体４０Ａの一方側（前側）の開口部から最大長突出し、複数のカバー体４０Ａ，４０ＢはＹ軸方向に伸張した状態にある。内カバー体４０Ｂの他方側（後側）の開口部は、外カバー体４０Ａ内において外カバー体４０Ａの一方側（前側）の開口部に近接した位置にある。
【００４８】
図８（ａ）の状態から、Ｙ軸方向駆動機構５により中間テーブル１１を駆動し、図８（ｂ）に示す如く、中間テーブル１１がＹ軸方向に沿った一方側に移動し固定部材２４に近づくと、第１リンク部材５１ａ，５１ｂ及び第２リンク部材５２ａ，５２ｂは、リンク角度θが増大するように、リンクを折りたたみつつ屈曲変形する。第２リンク部材５２ａ、５２ｂに連結したリンクアーム５３ａ，５３ｂの一端部（基端部）５３ａ１，５３ｂ１は当該折りたたみ方向に移動する。端部（基端部）５３ａ１，５３ｂ１は図８（ａ）の時よりも互いに離れた位置となっている。端部（基端部）５３ａ１，５３ｂ１が移動するので、他端部５３ａ２，５３ｂ２は移動する。リンクアーム５３ａ，５３ｂの他端部５３ａ２，５３ｂ２が内カバー体４０Ｂに連結しているのでリンクアーム５３ａ，５３ｂの他端部５３ａ２，５３ｂ２の移動によって、内カバー体４０Ｂは、外カバー体４０Ａの他端部に対し接近するように他方側へと相対移動し、外カバー体４０Ａ内に後退する。この相対移動により、外カバー体４０Ａ内に重なる内カバー体４０Ｂは、重なり長さが大きくなり、複数のカバー体４０Ａ，４０ＢのＹ軸方向に沿った寸法が小さくなる（複数のカバー体４０Ａ，４０Ｂが全体として縮小する）。
【００４９】
中間テーブル１１がＹ軸方向に沿った可動範囲の一方側端まで移動すると、図８（ｃ）に示す如く、リンクは各リンク部材５１ａ，５１ｂ，５２ａ，５２ｂのリンク角度θが略９０度まで折りたたまれる。この状態で、内カバー体４０Ｂは外カバー体４０Ａ内に収容されるまで移動し、内カバー体４０Ｂの一方側側面（前側面）が外カバー体４０Ａの一方側（前側）の開口部に略位置し、複数のカバー体４０Ａ，４０ＢのＹ軸方向に沿った寸法が最小となる。
【００５０】
逆に、図８（ｃ）の状態にある中間テーブル１１が、Ｙ軸方向駆動機構５による駆動で、図８（ｂ）に示す如く、Ｙ軸方向に沿って他方側に移動し固定部材２４から遠ざかると、第１リンク部材５１ａ，５１ｂ及び第２リンク部材５２ａ，５２ｂの各リンク部材は、リンク角度θが減少するように、リンクを引き伸ばしつつＹ軸方向に沿う直線状に戻る。第２リンク部材５２ａ，５２ｂが直線状に戻ると、第２リンク部材５２ａ，５２ｂに連結したリンクアーム５３ａ，５３ｂの一端部５３ａ１，５３ｂ１が当該引き伸ばし方向に移動する。リンクアーム５３ａ，５３ｂの他端部５３ａ２，５３ｂ２が内カバー体４０Ｂに連結しているのでリンクアーム５３ａ，５３ｂの他端部５３ａ２，５３ｂ２の移動によって、内カバー体５０Ｂは、外カバー体５０Ａから遠ざかるように一方側へと相対移動し、外カバー体４０Ａから突出する。この相対移動により、外カバー体４０Ａ内に重なる内カバー体４０Ｂは、Ｙ軸方向の重なり長さが小さくなり、複数のカバー体４０Ａ，４０ＢのＹ軸方向に沿った寸法が大きくなる（複数のカバー体４０Ａ，４０Ｂが全体として伸長する）。
【００５１】
そして、中間テーブル１１がＹ軸方向に沿った可動範囲の他方側端まで移動すると、図８（ａ）に示す如く、リンクは各リンク部材５１ａ，５１ｂ，５２ａ，５２ｂのリンク角度θが初期の角度になるまでＹ軸方向に沿った直線状に引き伸ばされる。内カバー体４０Ｂの他方側（前側）の開口部は、外カバー体４０Ａの一方側（前側）の開口部に略位置し、内カバー体４０Ｂは外カバー体４０Ａから最大長突出する。故に複数のカバー体４０Ａ，４０ＢはＹ軸方向に沿った寸法が最大となる。
【００５２】
以上説明したように、本実施形態の工作機械１は、ワークを加工する工具を着脱可能に保持する主軸３４と、主軸３４を回転駆動する主軸モータ３５を保持し、上下動可能な主軸ヘッド３６と、ワークを保持した可動テーブル２２を中間テーブル１１を介して、互いに直交するＸ軸方向及びＹ軸方向に移動するＸ軸方向駆動機構６及びＹ軸方向駆動機構５と、主軸ヘッド３５を、Ｘ軸方向及びＹ軸方向に直交するＺ軸方向に昇降移動するＺ軸移動装置３８と、Ｙ軸方向に沿って、中間テーブル１１の一方側に設けたテレスコピックカバー４０と、を備える。
【００５３】
テレスコピックカバー４０は、複数のカバー体と、リンク機構５０を有する。複数のカバー体の夫々は、互いに相対移動可能である。各カバー体は内外に重なり合いつつ組み合わせる。複数のカバー体４０Ａ，４０Ｂは、他方側端部に配列し一端部を中間テーブル１１の一方側に固定した外カバー体４０Ａと、一方側端部に配列した内カバー体４０Ｂと、を含む。リンク機構５０は、複数のリンク部材を回動可能に連結している。複数のリンク部材の連接構造であるリンク機構５０は、各リンク部材のＹ軸方向となすリンク角度θを変更することで各カバー体４１Ａ，４１Ｂを互いに相対移動させ、複数のカバー体４１Ａ，４１Ｂを伸縮する。中間テーブル１１が一方側及び他方側の何れに移動した場合でも、加工時にワークから発生する加工屑を複数のカバー体４１Ａ，４１Ｂで受け止めることができる。
【００５４】
詳細には、複数のリンク部材は、一端部５１ａ１，５１ｂ１を中間テーブル１１に連結した第１リンク部材５１ａ，５１ｂを他方側端部に備え、他端部５２ａ２，５２ｂ２を工作機械１の固定部材２４に連結した第２リンク部材５２ａ，５２ｂを一方側端部に備える。
【００５５】
中間テーブル１１が一方側に移動して固定部材２４に近づくと、複数の第１リンク部材５１ａ，５１ｂ及び第２リンク部材５２ａ，５２ｂは、各リンク部材がＹ軸方向となすリンク角度θが増大するように折りたたみつつ屈曲変形する。第２リンク部材５２ａ，５２ｂを折りたたむと、第２リンク部材５２ａ，５２ｂに連結したリンクアーム５３ａ，５３ｂの一端部５３ａ１，５３ｂ１が当該折りたたみ方向に移動する。リンクアーム５３ａ，５３ｂの他端部５３ａ２，５３ｂ２が内カバー体４０Ｂに連結していることから、上記リンクアーム５３ａ，５３ｂの他端部５３ａ２，５３ｂ２の移動によって、内カバー体４０Ｂは、外カバー体４０Ａに対し接近するように他方側へと相対移動する。この相対移動により、複数のカバー体４０Ａ，４０ＢのＹ軸方向に沿った寸法が小さくなる（複数のカバー体４０Ａ，４０Ｂが全体として縮小する）。
【００５６】
中間テーブル１１が他方側に移動して固定部材２４から遠ざかると、第１リンク部材５１ａ，５１ｂ及び第２リンク部材５２ａ，５２ｂは、上記リンク角度θが減少するように、リンクを引き伸ばしつつ上記Ｙ軸方向に沿う直線状に戻る。第２リンク部材５２ａ，５２ｂが直線状に戻ると、第２リンク部材５２ａ，５２ｂに連結したリンクアーム５３ａ，５３ｂの一端部５３ａ１，５３ｂ１が当該引き伸ばし方向に移動する。リンクアーム５３ａ，５３ｂの他端部５３ａ２，５３ｂ２が内カバー体４０Ｂに連結していることから、上記リンクアーム５３ａ，５３ｂの他端部５３ａ２，５３ｂ２の移動によって、内カバー体４０Ｂは外カバー体４０Ａから遠ざかるように一方側へと相対移動する。この相対移動により、外カバー体４０Ａ及び内カバー体４０Ｂが全体として伸長する。複数のカバー体４０Ａ，４０ＢのＹ軸方向に沿った寸法が大きくなる（複数のカバー体４０Ａ，４０Ｂが全体として伸長する）。
【００５７】
本実施形態では、複数のリンク部材５１ａ，５１ｂ，５２ａ，５２ｂを用いて複数のカバー体４０Ａ，４０Ｂの全体寸法を縮小・伸長させる。これにより、１つのカバー体が移動し隣接する別のカバー体に接触することで当該別のカバー体を移動させる構造のように、接触時に騒音が発生したり接触により耐久性が低下することがない。
【００５８】
特に本実施形態では、テレスコピックカバー４０は、リンク機構５０を、複数のリンク部材５１ａ，５１ｂ，５２ａ，５２ｂを用いたパンタグラフ形状に構成する。即ち、一の側、例えばＸ軸方向一方側の第１リンク体にリンク部材５１ａ，５２ａ，リンクアーム５３ａを用い、他の側のＸ軸方向他方側の第２リンク体にリンク部材５１ｂ，５２ｂ，５３ｂを用いることによって、一方側の第１リンク体と他方側の第２リンク体とを互いに同数のリンク部材により構成し、互いに同等の折りたたみ・引き伸ばし態様を実現する。これにより、何れか一方側のリンク体のみを設ける場合に比べ、円滑かつ均等なリンク動作を確保することができる。
【００５９】
以上の実施形態では、テレスコピックカバー４０を中間テーブル１１のＹ軸方向一方側に設けたが、テレスコピックカバー４０は、中間テーブル１１のＹ軸方向の他方側に設けることもできる。この場合、台座ベース２のＹ軸方向他方側に固定部材２４と同様な第２の固定部材を設け、他方側に設置した他方側テレスコピックカバー４０のリンク機構５０は、第２リンク部材５２ａ，５２ｂの他端部５２ａ２，５２ｂ２を第２の固定部材に連結する。
【００６０】
本発明の他の実施形態について図９〜図１３を参照して説明する。図９は、本発明の他の実施形態における中間テーブル上の可動テーブル及びテレスコピックカバーをＸ軸方向一方側の斜め上方から見た斜視図である。
【００６１】
中間テーブル１１上の可動テーブル２２は、Ｘ軸方向に沿った一方側（図９の右側）に設けた一方側テレスコピックカバー４２と、Ｘ軸方向に沿った他方側（図９の左側）に設けた他方側テレスコピックカバー４３とを備えている。一方側テレスコピックカバー４２は、Ｘ軸方向駆動機構６の上側の可動テーブル２２よりも一方側を覆い、他方側テレスコピックカバー４３は、Ｘ軸方向駆動機構６の上側の可動テーブル２２よりも他方側を覆う。
【００６２】
一方側テレスコピックカバー４２は、内外に重なり合いつつ組み合わせて相対移動することにより伸縮可能な外カバー体４２Ａ（第１カバー体）と内カバー体４２Ｂ（第２カバー体）とを備えている。
一方側テレスコピックカバー４２の外カバー体４２Ａは、図９、図１０及び図１２に示す如く、一方側、他方側の側面（左右両側面）及び下面が開放した矩形の平たい箱体である。外カバー体４２Ａは他方側の上面に設けた板状のフランジ４２ａを介して中間テーブル１１の一方側側面（右側面）１１ａの下部にネジ止め固定している。外カバー体４２ＡのＹ軸方向の一方側及び他方側の側面（前後両側面）下端には、図１１に示す如く、内側に折れ曲がってＸ軸方向に延びる細幅の支持フレーム４２Ａ１を一体に設ける。支持フレーム４２Ａ１は内カバー体４２Ｂを摺動自在に支持する。
【００６３】
一方側テレスコピックカバー４２の内カバー体４２Ｂは、他方側側面（左側面）及び下面が開放した矩形の平たい箱体である。内カバー体４２Ｂは外カバー体４２Ａの内側にほぼ重なる断面寸法に形成する。内カバー体４２ＢのＸ軸方向に沿った長さは、内カバー体４２Ｂを外カバー体４２Ａ内に収容した状態で、内カバー体４２Ｂの一方側側面（右側面）が外カバー体４２Ａの一方側（右側）の開口部に略位置するように設定されている。内カバー体４２ＢのＹ軸方向一方側及び他方側の側面（前後両側面）下端には、図１１に示す如く、内側に折れ曲がってＸ軸方向に延びる細幅の被支持フレーム４２Ｂ１を一体に設ける。被支持フレーム４２Ｂ１は外カバー体４２Ａの支持フレーム４２Ａ１に摺動自在に支持される。
【００６４】
同様に、他方側テレスコピックカバー４３は、内外に重なり合いつつ組み合わせて相対移動することにより伸縮可能な外カバー体４３Ａ（第３カバー体）と内カバー体４３Ｂ（第４カバー体）とを備えている。
【００６５】
他方側テレスコピックカバー４３の外カバー体４３Ａは、一方側、他方側の側面（左右両側面）及び下面が開放した矩形の平たい箱体である。外カバー体４３Ａの一方側端部上面に設けた板状のフランジ４２ｂを介して中間テーブル１１の他方側側面（左側面）２２ｂの下部にネジ止め固定している。図１１に示す如く、外カバー体４３ＡのＹ軸方向の一方側及び他方側の側面（前後両側面）下端には、内側に折れ曲がってＸ軸方向に延びる細幅の支持フレーム４３Ａ１を一体に設ける。支持フレーム４３Ａ１は内カバー体４２Ｂを摺動自在に支持する。
【００６６】
一方側テレスコピックカバー４２は、図１１及び図１２に示す如く、第１リンク部材６１、第２リンク部材６２、及びリンクアーム６３等を有するリンク機構６０を備えている。第１リンク部材６１及び第２リンク部材６２は、パンタグラフリンクである四節リンクをＸ軸方向の中心線で２分割したうちの一方側の半体のリンクを構成し、Ｘ軸方向に伸縮可能である。
【００６７】
第１リンク部材６２は、ブラケット６４を介して外カバー体４２Ａの上面の他方側端部に回転可能に取り付けている。ブラケット６４は、一端に上方に立ち上がる包摂部６４ａを有したＬ字状の固定アームで、ブラケット６４の一端の包摂部６４ａを外カバー体４２Ａの上面の他方側端部（左端部）に嵌め込んで固定し、包摂部６４ａの下端から直角に折曲してＹ軸方向一方側に延びる他端部６４ｂを、外カバー体４２Ａの上面内側のＹ軸方向一方側端部に固定する。第１リンク部材６１の一端部６１ａは、ブラケット６４の他端部６４ｂに回転可能に連結する。
【００６８】
第１リンク部材６１の他端部６１ｂは、第２リンク部材６２及びリンクアーム６３の一端部６２ａ，６３ａに回転可能に連結する。第２リンク部材６２の内カバー４２Ｂ内に位置する他端部６２ｂは、Ｙ軸方向一方側のＸ軸方向ガイドレール２１寄りの位置で、内カバー体４２Ｂに回転可能に連結する。リンクアーム６３の他端部６３ｂは、内カバー体４２ＡのＸ軸方向一方側側面（右側面）のＹ軸方向略中央部に近接した位置で、内カバー体４２Ａの上面内側に回転可能に連結する。各リンク部材６１，６２は、Ｘ軸方向の直線Ｘ１に対し同一のリンク角度θをなしている。
【００６９】
一方側、他方側のテレスコピックカバー４２，４３の内カバー体４２Ｂ，４３Ｂは、Ｙ軸方向一方側及び他方側のＸ軸方向に延びる１対の連結軸６５（移動伝達軸）によって連結している。一方側テレスコピックカバー４２の内カバー体４２Ｂの他方側の開口部の上端にはＹ軸方向に沿った支持バー６６を設け、支持バー６６のＹ軸方向両端部に設けた下方向の各ブラケット６６ａに各連結軸６５の一端を取り付ける。同様に、他方側テレスコピックカバー４３の内カバー体４３Ｂの一方側の開口部の上端にＹ軸方向に沿った支持バー６６を取り付け、支持バー６６のＹ軸方向両端部に設けた下方向の各ブラケット６６ａに各連結軸６５の他端を取り付ける。
【００７０】
図１３を参照して、テレスコピックカバー４２、４３の動作を説明する。図１３は、中間テーブル１１上の可動テーブル２２及びテレスコピックカバー４２，４３を中間テーブル１１の下から見た下面図である。図１３（ａ）は、可動テーブル２２がＸ軸方向の可動範囲の中央の少し他方側寄りに位置する。一方側テレスコピックカバー４２の外カバー体４２Ａ内に重なる内カバー体４２Ｂは、外カバー体４２Ａの一方側（右側）の開口部から約３分の２の長さ突出し、他方側テレスコピックカバー４３の外カバー体４３Ａ内に重なる内カバー体４３Ｂは、外カバー体４３Ａの他方側（左側）の開口部から約３分の１の長さ突出した位置にある。
【００７１】
図１３（ａ）の状態から、Ｘ軸方向駆動機構６により可動テーブル２２を駆動し、図１３（ｂ）に示す如く、可動テーブル２２がＸ軸方向に沿った一方側に移動すると、第１リンク部材６１及び第２リンク部材６２の各リンク部材は、リンク角度θが増大するように、リンクを折りたたみつつ屈曲変形する。第２リンク部材６２を折りたたむと、第２リンク部材６２に連結したリンクアーム６３の一端部（基端部）６３ａが当該折りたたみ方向に移動する。リンクアーム６３の他端部６３ｂが一方側テレスコピックカバー４２の内カバー体４２Ｂに連結していることから、上記リンクアーム６３の他端部６３ｂの移動によって、内カバー体４２Ｂは、外カバー体４２Ａの他端部に対し接近するように他方側へと相対移動し、外カバー体４２Ａ内に後退する。この相対移動により、外カバー体４２Ａ内に重なる内カバー体４２Ｂは、重なり長さが大きくなり、複数のカバー体４２Ａ，４２ＢのＸ軸方向に沿った寸法が小さくなる（複数のカバー体４２Ａ，４２Ｂが全体として縮小する）。
【００７２】
他方側テレスコピックカバー４３は、内カバー体４３Ｂが連結軸６５によって一方側テレスコピックカバー４２の内カバー体４２Ｂに連結していることから、内カバー体４２Ｂの移動によって、内カバー体４３Ｂが外カバー体４３Ａの一端部から遠ざかるように他方側へと相対移動し、外カバー体４３Ａから突出する。この相対移動により、外カバー体４３Ａ内に重なる内カバー体４３Ｂは、Ｘ軸方向の重なり長さが小さくなり、複数のカバー体４３Ａ，４３ＢのＸ軸方向に沿った寸法が大きくなる（複数のカバー体４３Ａ，４３Ｂが全体として伸長する）。
【００７３】
図１３（ｂ）の状態から、可動テーブル２２がＸ軸方向に沿った可動範囲の一方側端まで移動すると、図１３（ｃ）に示す如く、リンクは各リンク部材６１，６２のリンク角度θが略９０度まで折りたたまれる。この状態で、一方側テレスコピックカバー４２の内カバー体４２Ｂは、外カバー体４２Ａ内に略収容されるまで移動し、内カバー体４２Ｂの一方側側面（右側面）が外カバー体４２Ａの一方側（右側）の開口部に略位置し、複数のカバー体４２Ａ，４２ＢのＸ軸方向に沿った寸法が最小となる。
【００７４】
他方側テレスコピックカバー４３は、可動テーブル２２がＸ軸方向に沿った可動範囲の一方側端まで移動すると、一方側テレスコピックカバー４２の内カバー体４２Ｂの移動により、内カバー体４３Ｂの他方側（右側）の開口部が、外カバー体４３Ａの他方側（左側）の開口部に略位置するまで移動し、内カバー体４３Ｂは外カバー体４３Ａから最大長突出し、複数のカバー体４３Ａ，４３ＢのＸ軸方向に沿った寸法が最大となる。
【００７５】
逆に、図１３（ｃ）の状態にある可動テーブル２２が、Ｘ軸方向駆動機構６による駆動で、図１３（ｂ）に示す如く、Ｘ軸方向に沿って他方側に移動すると、第１リンク部材６１及び第２リンク部材６２の各リンク部材は、リンク角度θが減少するように、リンクを引き伸ばしつつＸ軸方向に沿う直線状に戻る。第２リンク部材６２が直線状に戻ると、第２リンク部材６２に連結したリンクアーム６３の一端部６３ｂが当該引き伸ばし方向に移動する。リンクアーム６３の他端部６３ｂが一方側テレスコピックカバー４２の内カバー体４２Ｂに連結しているので、リンクアーム６３の他端部６３ｂの移動によって、内カバー体４２Ｂは、外カバー体４２Ａから遠ざかるように一方側へと相対移動し、外カバー体４２Ａから突出する。この相対移動により、外カバー体４２Ａ内に重なる内カバー体４２Ｂは、Ｘ軸方向の重なりが小さくなり、複数のカバー体４２Ａ，４２ＢのＸ軸方向に沿った寸法が大きくなる。
【００７６】
他方側テレスコピックカバー４３は、一方側テレスコピックカバー４２の内カバー体４２Ｂの移動によって、内カバー体４３Ｂが外カバー体４３Ａの他端部に対し接近するように一方側へと相対移動し、外カバー体４３Ａ内に後退する。この相対移動により、外カバー体４３Ａ内に重なる内カバー体４３Ｂは、Ｘ軸方向の重なりが大きくなり、複数のカバー体４３Ａ，４３ＢのＸ軸方向に沿った寸法が小さくなる。
【００７７】
そして、可動テーブル２２がＸ軸方向に沿って他方側にさらに移動すると、図１３（ａ）の状態を経た後、可動テーブル２２がＸ軸方向に沿った可動範囲の他方側端に至る。可動テーブル２２がその他方側端に位置した状態で、一方側テレスコピックカバー４２は、内カバー体４２Ｂが外カバー体４２Ａから最大長突出し、複数のカバー体４２Ａ，４２ＢのＸ軸方向に沿った寸法が最大となる。他方側テレスコピックカバー４３は、内カバー体４２Ｂが外カバー体４３Ａ内に収容され、複数のカバー体４３Ａ，４３ＢのＸ軸方向に沿った寸法が最小となる。
【００７８】
以上説明したように、本発明の他の実施形態では、可動テーブル２２のＸ軸方向一方側に配置した一方側テレスコピックカバー４２の内カバー体４２ＢのＸ軸方向他方側に対し連結軸６５を延設し、この連結軸６５により、内カバー体４２Ｂの外カバー体４２Ａに対する相対移動を、可動テーブル２２の他方側に配置した他方側テレスコピックカバー４３に伝達するようにした。
【００７９】
一方側テレスコピックカバー４２の内カバー体４２Ｂが他方側へと移動して外カバー体４２Ａに対し接近すると、この移動を連結軸６５が他方側テレスコピックカバー４３に伝達する。他方側テレスコピックカバー４３における内カバー体４３Ｂは外カバー体４３Ａから離間し、複数のカバー体４３Ａ，４３Ｂが全体として伸長する。
【００８０】
一方側テレスコピックカバー４２の内カバー体４２Ｂが一方側へと移動して外カバー体４２Ａから離間すると、この移動を連結軸６５が他方側テレスコピックカバー４３に伝達する。他方側テレスコピックカバー４３における外カバー体４３Ｂは外カバー体４３Ａに接近し、複数のカバー体４３Ａ，４３Ｂが全体として縮小する。
【００８１】
本実施形態のテレスコピックカバー４２によれば、連結軸６５での移動の伝達を用いて、他方側テレスコピックカバー４３に対し、同等の複数のカバー体４３Ａ，４３Ｂ全体の伸長・縮小挙動を実現することができる。
【００８２】
なお、本発明のテレスコピックカバー４０（４２，４３）は以上に限られず、同じ長さのリンク部材を交差させ回転可能に連結してクロス状のリンク半体を形成し、そのリンク半体の端部同士を次々に回転可能に連結して複数段のパンタグラフリンク（いわゆるマジックハンドリンク）を構成し、各パンタグラフリンクにカバー体を支持するリンクアームを連結して、入れ子式に組み合わせた３個以上の複数個のカバー体を互いに伸縮可能としてもよい。
【００８３】
なお、本発明は、上記実施形態に限られるものではなく、その趣旨及び技術的思想を逸脱しない範囲内で種々の変形が可能である。
【符号の説明】
【００８４】
１                工作機械
３                機械本体部
５                Ｙ軸方向駆動機構
６                Ｘ軸方向駆動機構
１１              中間テーブル（テーブル）
２２              可動テーブル（テーブル）
４０              テレスコピックカバー
４０Ａ            外カバー体（第１カバー体）
４０Ｂ            内カバー体（第２カバー体）
４２              一方側テレスコピックカバー
４２Ａ            外カバー体（第１カバー体）
４２Ｂ            内カバー体（第２カバー体）
４３              他方側テレスコピックカバー
４３Ａ            外カバー体（第３カバー体）
４３Ｂ            内カバー体（第４カバー体）
５０              リンク機構
５１ａ，５１ｂ    第１リンク部材
５２ａ，５２ｂ    第２リンク部材
５３ａ，５３ｂ    リンクアーム
６０              リンク機構
６１              第１リンク部材
６２              第２リンク部材
６３              リンクアーム
６５              連結軸（移動伝達軸）
θ                リンク角度
【図１】
2013136104.tif 000003
【図２】
2013136104.tif 000004
【図３】
2013136104.tif 000005
【図４】
2013136104.tif 000006
【図５】
2013136104.tif 000007
【図６】
2013136104.tif 000008
【図７】
2013136104.tif 000009
【図８】
2013136104.tif 000010
【図９】
2013136104.tif 000011
【図１０】
2013136104.tif 000012
【図１１】
2013136104.tif 000013
【図１２】
2013136104.tif 000014
【図１３】
2013136104.tif 000015